(57)【要約】　　　（修正有）【課題】赤外線の作用を増幅し、マイナスイオンを併用することによって、健康増進に寄与するサポータ、シーツ、肌着などの衣料、エアフィルターなどを提供する。【解決手段】遠赤外線を放射する鉱物粉末と、放射能濃度が１〜５Ｂｑ／ｇのエネルギーを放射するカリウム４０あるいはカリウム４０を含む鉱物粉末を混合したことを特徴とする健康材料用がの配合剤。【選択図】　図１
2004121685.tif 000002
【特許請求の範囲】
【請求項１】
遠赤外線を放射する鉱物粉末と、放射能濃度が１〜５Ｂｑ／ｇのエネルギーを放射するカリウム４０あるいはカリウム４０を含む鉱物粉末を混合したことを特徴とする健康材料用配合剤。
【請求項２】
遠赤外線を放射する鉱物粉末１部に、放射能濃度が１〜５Ｂｑ／ｇのエネルギーを放射するカリウム４０あるいはカリウム４０を含む鉱物粉末０．１〜１部を混合したことを特徴とする健康材料用配合剤。
【請求項３】
請求項１又は２に記載された健康用配合剤を合成樹脂に添加したことを特徴とする健康材料用素材。
【請求項４】
請求項１又は２に記載された健康用配合剤を添加した合成樹脂を紡糸成形、射出成形、発泡成形等の成形加工をした、繊維状、フィルム状、シート状の健康材料用素材。
【請求項５】
請求項１又は２に記載された健康用配合剤を織物、編物、不織布、紙、発泡シートより選ばれた基材に全面又は部分的にバインダーにより固着されてなり、製品においてβ線量で２００〜１０００カウント／分のエネルギー放射量であることを特徴とする健康材料用素材。
【請求項６】
請求項１又は２に記載された健康用配合剤を点状あるいは面状又は特定形状に転写できる熱転写シートに形成したことを特徴とする健康材料用素材。
【請求項７】
請求項３、４、５、６のいずれかに記載の健康材料用素材を加工した、手足の指用、手首用、膝用、肘用、肩用、腰用、腕用、足用、外反母趾用等の身体の被覆用具。
【請求項８】
請求項３、４、５、６のいずれかに記載の健康材料用素材を加工した、肌着、腹巻、下着、靴下、ベスト、シーツ、クッション、マット、枕、カバー、じょくそう予防用具等の衣料あるいは寝具。
【請求項９】
請求項３、４、５、６のいずれかに記載の健康材料用素材を加工したエアーフィルター、靴敷等の繊維資材。
【請求項１０】
請求項１又は２に記載された健康用配合剤を添加したジェルをベース素材とし、β線量で２００〜１０００カウント／分のエネルギー放射量となるように調整したことを特徴とするパップ材、ウェットフェイスマスク等の健康貼付剤。
【発明の詳細な説明】
【０００１】
【発明の属する技術分野】
本発明は、遠赤外線と低放射能とを組み合わせた健康保持、増進技術に関する。
【０００２】
【従来の技術】
従来から、遠赤外線の熱作用効果を、人体の温熱保温に用いて健康材料とする提案がなされており、遠赤外線放射セラミックスを、サポーター、腰痛治療バンド、靴敷、寝具、シーツ、靴下、肌着、クッション等に設けて保温効果を得ている。
例えば、特開平１−１５５８７０号公報（特許文献１）では、遠赤外線放射物質を人体サポーターの表面に設けて、遠赤外線の放射により、保温並びに健康増進を図るとしている。
特開平２−２２８９０２号公報（特許文献２）は、靴敷に遠赤外線放射材粉末を表面に付与して靴敷の保温性を得ている。
特開平３−５１３０２号公報（特許文献３）では、遠赤外線を放射する粒子を含有するポリマーを用いて靴下を構成して、優れた保温効果を有する靴下を提案されている。
特開平１−１５５８６８号公報（特許文献４）に、衿、袖口に遠赤外線を放射させることで、保温・健康増進を図るシャツを提案されている。
【０００３】
遠赤外線の照射により、電磁的共振が起こり熱運動が励起されて温度が上昇するとされているが、ほとんどが表皮の水分に吸収されて熱エネルギーに変換され、遠赤外線が皮膚に浸透する深さは０．１ｍｍ程度であるから、常温遠赤外線の保温・温熱効果は効率的には低いものである。又、健康材として期待されている人体の細胞の活性化効果については得られ難いとされている。従って、一時は遠赤外線と健康を結びつけた商品のブームがあったけれども人気は過ぎ去っていった。
【０００４】
一方では、エネルギーを放射する鉱物粉末として、ラジウム、ウラン、トリウムを含有する鉱物粉末をシート状基材に設けて健康材料に用いる提案が従来からなされている。
例えば、実公昭５０−２６９５号公報（特許文献５）に、天然酸化ウラン鉱を、接着剤と練り合わせて２枚の弾性体シート（ウレタンフォーム）の間に密着介在させることにより、治療用スポンジシートが保温力に富み治療効果を得ると記載されている。
特開昭５１−４２３８２号公報（特許文献６）では、酸化ラジウム、酸化トリウム、酸化セシウム、酸化マグネシウム、酸化イントリウムの５種類を混合した粉末を合成樹脂に配合して、消臭性と保温性を有し疲労を防ぐ靴の敷皮を提案している。特公昭６２−３２９４８号公報（特許文献７）には、サマルスキー石、フェルグソン石、ゼノタイム、トロゴム石、変種ジルコンなどのウラン系列、トリウム系列を含む鉱物の粉末を、負に帯電し気体透過性のある樹脂を特定して布地や紙などに塗布固着して肩こり、冷え性、疲労回復に効く健康材が記載されている。
しかし、天然放射性希有元素鉱物より放射されるγ線、β線、α線だけでは、保温・温熱効果を得ることはエネルギー的に無理であり実用に供し得なかった。又、遠赤外線鉱物及びエネルギー放射鉱物の単独使用ではマイナスイオンを得ることはできなかった。
特許第３０３５２７９号（特許文献８）に合成樹脂に希有元素類を含む鉱物とトルマリン又は遠赤外線を添加して、プラスイオンの抑制作用とマイナスイオンの増幅と持続性維持及び遠赤外線を放射する樹脂組成物が開示されている。
この構成によって、３００個／ｃｃ以下のマイナスイオンが発生及び腰バンドに応用したケースでは、体表面の昇温があることが開示されている。
希有元素に何が属するのか明らかになっていないが、好ましい鉱物として例示されたモナズ石、バストネス石には、トリウム、ウラン、セリウム等が含有され発生する放射線はα線、β線、γ線等が含まれており、取り扱いと安全性に注意を要する放射線源である。
【０００５】
【特許文献１】特開平１−１５５８７０号公報
【特許文献２】特開平２−２２８９０２号公報
【特許文献３】特開平３−５１３０２号公報
【特許文献４】特開平１−１５５８６８号公報
【特許文献５】実公昭５０−２６９５号公報
【特許文献６】特開昭５１−４２３８２号公報
【特許文献７】特公昭６２−３２９４８号公報
【特許文献８】特許第３０３５２７９号公報
【０００６】
【発明が解決しようとする課題】
本発明は、遠赤外線によって、（１）体がよく温まる。（２）血行の促進効果を得る。（３）肩こりや筋肉痛を和らげる。（４）筋肉疲労の回復を促進する。
（５）冷え性や神経痛の症状を和らげる。（６）快眠効果を得る。の効果のレベルアップを課題とするものである。
一方、放射性元素を含有する鉱物については、核種、原料の放射能濃度（Ｂｑ／ｇ）及び製品の放射能濃度（Ｂｑ／ｃｍ２）を明らかにした構成物でなければ、製品の安全性と効果の関係が心配であり、危険が危惧される。具体的には、サーベメーターによるβ線量が２００〜１０００カウント／分といった安全領域において、体の保温、ホルミシス効果を得ることを課題とした。又、両成分の配合することでマイナスイオンが得られることを課題とした。
【０００７】
従来、原料鉱物の放射能濃度が、２００〜３００Ｂｑ／ｇのものが使用されているが、ウランやトリウムは核原料物質の取扱規制として３７０ベクレル／ｇ以上は使用届と使用許可が必要となっている。更に、３７０ベクレル／ｇ以下であっても、トリウムは９００ｇ以上、ウランは３００ｇ以上は使用届と使用許可が必要となっている。ラジウム、ウラン、トリウムのように取扱いに危険性があって規制されている物質でなく、カリウム４０のように低放射能で規制の無い安全な物質を用いることを課題とした。
【０００８】
【課題を解決するための手段】
本発明は、以下の構成によりなるものである。
（１）　遠赤外線を放射する鉱物粉末と、放射能濃度が１〜５Ｂｑ／ｇのエネルギーを放射するカリウム４０あるいはカリウム４０を含む鉱物粉末を混合したことを特徴とする健康材料用配合剤。
（２）　遠赤外線を放射する鉱物粉末１部に、放射能濃度が１〜５Ｂｑ／ｇのエネルギーを放射するカリウム４０あるいはカリウム４０を含む鉱物粉末０．１〜１部を混合したことを特徴とする健康材料用配合剤。
（３）　前記（１）又は（２）に記載された健康用配合剤を合成樹脂に添加したことを特徴とする健康材料用素材。
（４）　前記（１）又は（２）に記載された健康用配合剤を添加した合成樹脂を紡糸成形、射出成形、発泡成形等の成形加工した、繊維状、フィルム状、シート状の健康材料用素材。
（５）　　前記（１）又は（２）に記載された健康用配合剤を織物、編物、不織布、紙、発泡シートより選ばれた基材に全面又は部分的にバインダーにより固着されてなり、製品においてβ線量で２００〜１０００カウント／分のエネルギー放射量であることを特徴とする健康材料用素材。
（６）　前記（１）又は（２）に記載された健康用配合剤を点状あるいは面状又は特定形状に転写できる熱転写シートに形成したことを特徴とする健康材料用素材。
（７）　前記（３）（４）（５）（６）のいずれかに記載の健康材料用素材を加工した、手足の指用、手首用、膝用、肘用、肩用、腰用、腕用、足用、外反母趾用等の身体の被覆用具。
（８）　前記（３）（４）（５）（６）のいずれかに記載の健康材料用素材を加工した、肌着、腹巻、下着、靴下、ベスト、シーツ、クッション、マット、枕、カバー、じょくそう予防用具等の衣料あるいは寝具。
（９）　　前記（３）（４）（５）（６）のいずれかに記載の健康材料用素材を加工したエアーフィルター、靴敷等の繊維資材。
（１０）　前記（１）又は（２）に記載された健康用配合剤を添加したジェルをベース素材とし、β線量で２００〜１０００カウント／分のエネルギー放射量となるように調整したことを特徴とするパップ材、ウェットフェイスマスク等の健康貼付剤。
以上（１）〜（１０）に銀置換ゼオライトを添加すると、銀イオンにより殺菌機能が働いて、衛生的な健康材料を提供することができ、また、ゼオライトの臭い成分を補集する機能によって、吸着された臭い成分が、放射線及びマイナスイオンによって分解されるので、消臭機能も付与することができる。
特に銀置換ゼオライトとして、銀置換Ｘ型ゼオライトが適している。
【０００９】
遠赤外線を放射する鉱物粉末には、マグネシア、チタニア、アルミナ、ジルコニアを含む鉱物で、セラジット、ＡＬ−Ｓ−３０（オーケートレーディング株式会社製品）、Ｐロック粉（日本板硝子株式会社製品）、セラミックスＬＡＳ−３７（日本軽金属株式会社製品）などがある。
本発明における、放射能濃度が１〜５Ｂｑ／ｇのエネルギーを放射する放射線源としては、カリウム４０あるいはカリウム４０を含む鉱物を使用することができる。具体的な鉱物には、愛媛県道後の奥山中より採取される石英斑岩を利用することができ、これを破砕し粉末としたものは１．０〜２Ｂｑ／ｇのものが得られた。
表１にその分析例を示す。
該石英斑岩鉱物の鉱脈により外観の色が異なるので次のように区分して表示した。Ａ；青み灰色のもの、Ｂ；黒み灰色のもの、Ｃ；黒み透明がかったもの、Ｅ；灰褐色のもの、Ｆ；黒色のもの、である。カリウム４０が大部分でラドンやトリウムが極わずか検出されたに過ぎない。
【００１０】
【表１】
2004121685.tif 000003
【００１１】
本発明で用いる低放射能発生源としてカリウム４０を採用している。本発明は、遠赤外線を放射する鉱物粉末と、放射能濃度が１〜５Ｂｑ／ｇの鉱物粉末の配合物、配合物を合成樹脂に添加し成形して素材とし、その素材を加工して健康材料を提供するものである。この配合物は、遠赤外線放射鉱物単独では得られない熱的作用とマイナスイオンの発生による相乗的効果を発揮するものである。例えは、シート状基材にバインダーにより固着し、製品においてβ線量で２００〜１０００カウント／分のエネルギー放射量とすることにより、遠赤外線の励起を高め、単独成分の使用では得られない優れた熱的作用効果を得ると共にマイナスイオン効果を得る健康材料を提供するものである。
【００１２】
本発明で使用するカリウム４０は、半減期が２０億年であるため、安定して、同じ種類の放射線を長期間に渡り一定量を放射し、人体に対する安全性に優れている。カリウム４０から放射される放射線はβ線を中心としている。
β線は、α線より透過力が強いが、γ線より弱く、人体に作用させた場合、体表面から深くは浸透せず、体表面及びその付近に作用する。
透過力が中程度であることから、体表面から作用させた場合、筋肉や関節などの比較的表面付近に存在し、痛痒の発生しやすい場所に集中して機能する効果が期待できる。
半減期が非常に長いことは、製品の使用期間中のみならず、廃棄された後も一定のβ線を中心とした放出に制限されているので、使用肢及びその後の処理においても、安全性に優れているものである。
半減期の短い核種では、崩壊によって放射される放射線の種類、量が変化することとなるので、安定した性能や取り扱いの安全性の確保に注意を払う必要がある。
【００１３】
このように、カリウム４０及びカリウム４０を含む鉱物粉末が発生する放射線は安全性に優れた低濃度のβ線が長期間継続して発生するので、低量の放射線が長期間作用する健康に効用があるとされるホルミシス効果が期待できるものである。放射線ホルミシス効果では、低量の放射線が、生理的な刺激を与えて活発化させることにより、成長、健康度、免疫性、回復力が高まるとされています。
該鉱物を固着した製品において、β線量で２００〜１０００カウント／分のエネルギー放射量を得られるようにした。相乗効果により遠赤外線の励起を高めたので、温熱効果が向上した。遠赤外線鉱物１部に対して、エネルギー放射鉱物０．１〜１部の配合が好ましい。更に好ましくは０．３〜０．９とする。
本発明の比較例として、遠赤外線放射鉱物のみによる温熱効果を説明すると、遠赤外線応用研究会で繊維製品に遠赤外線放射セラミックスを加工した１００社の製品について常温での温熱効果を測定した結果、皮膚の温度上昇が０．５℃を得られたのは、僅かに３％で、３社の製品のみであったと説明を受けているが、これに比較して本発明によれば１．２℃の皮膚の温度上昇が得られている。カリウム４０含有鉱物では温度上昇が０．７℃が測定されているので、カリウム４０と遠赤外線放射鉱物との相乗効果が得られたものと思われる。
【００１４】
上記カリウム４０あるいはカリウム４０を含む鉱物の粉末は、バインダーにより織物、編物、不織布、シート類より選ばれた基材に全面又は部分的に固着する。バインダーは、ポリウレタン、アクリル樹脂、シリコン樹脂、ホットメルト樹脂、より選ばれた１種類又は２種類以上を用いることができる。ホットメルト樹脂は、ナイロン系、ＰＥＴ系、その他低融点ポリマーを用いて熱転写紙にすることができる。
製品や基材に保温消臭殺菌用配合剤を転写する手段は、洗濯や保存に対する耐久性を考慮して、熱転写が望ましい。転写は、シート上に点状あるいは面状又は特定の形にホットメルト系バインダーあるいは熱硬化性樹脂バインダーを添加した保温消臭殺菌用配合剤を仮貼付し、転写対象の製品や基材の必要箇所にアイロンなどの熱源を当てることによって、実行できる。所望の箇所に部分的に付着できる点で優れている。
また、これらの粉末は、合成樹脂に混合して、紡糸、射出、カレンダー、発泡等通常の合成樹脂の成形手段を適用して、繊維状、フィルム状、リート状、発泡体に成形することができる。
【００１５】
本発明の、サポーターにより使用効果を例示すると、着用により１０分で凝集していた赤血球が分散活性化し、血流は約１０％向上した。該サポーターは、手足の指用、手首用、膝痛用、肘痛用、肩こり用、腰痛用、腕足用、外反母趾等の身体を被覆する製品として効果がある。部分的被覆製品だけではなく、下着や肌着などの全面を覆う衣料に用いると冷え性や神経痛に効果があり、全体の疲労防止に役立つ。
又、靴敷用、クッション等に用いて痛みや凝りや冷え性を解消することができる。長期的にはホルミシス効果として、免疫性の増強、ＳＯＤ活性の増加が期待される。
【００１６】
本発明の技術をベッドシーツに用いた場合には、横臥による圧迫部の血流低下の改善により、褥症の予防が期待されるシーツが提供できる。
本発明の技術をエアーフィルターに用いた場合には、血量の向上により疲れが解消され、脳波からα波が多量に発生することになるのでストレス解消に有効である。事務及び作業室から車内の空気環境の改善に有効である。又、鉱物のガス吸着性に伴う効果としてシックハウス対応のホルムアルデヒドの除去や消臭効果が期待できる。
本発明の技術を貼付剤に用いると、短期的には痛み凝りの解消が得られ、長期的には免疫性の増強、ＳＯＤ活性の増強に有効である。
フェイスマスクに適用すると顔面の疲労回復、皮膚の活性の回復に有効である。
本発明の効果は、短期的には温熱効果により血流の向上、赤血球の活性化、α波の出現といった生理効果が得られ、長期的にはホルミシス効果により免疫性の増強、ＳＯＤ活性の増加、グルタチオンの増加、がん抑制遺伝子の発現、が期待される。
【００１７】
【実施例】
以下、本発明を実施例によって詳しく説明する。
【実施例１】
遠赤外線放射鉱物としては、Ｐロック粉末（日本板硝子株式会社製品）１部に、石英斑岩の粉末でカリウム４０を含有し放射能濃度が２Ｂｑ／ｇのもの０．７部を配合して、アクリル系バインダーにより糊状に練り上げて、健康用配合剤を合成樹脂と混合した健康材料用素材とし、離型紙に４ｍｍφの大きさの水玉印捺を施した。印捺面の上にナイロン系低融点ホットメルト粉末を散布し、乾燥して転写紙とした。
該転写紙を用いて、長さ２７ｃｍ、筒状幅１３ｃｍの腕用の繊維サポーターの中央部に、８×１３ｃｍの転写面積として、１４０℃で１５秒間熱プレスを行って熱転写を行った。
使用例を
【図１】に示す。
【００１８】
転写部のβ線量をサーベメーターで測定した結果は５００カウント／分であった。マイナスイオン量は５００個／ｃｃであった。このようにして作成した治療用サポーターを、痛みのある左肘に嵌めて２０分後にレーザードップラー血流計にて血流を測定した結果血流量が１５％の向上が得られた。同時に採血し、使用前の血液と血球の凝集度を比較観察した結果を
【図２】に示す。凝集は解消し、血球は独立していた。この例では、着用１時間後には肘の痛みが解消した。
Ｐロック粉末のみ、及び該エネルギー放射鉱物のみを用いて上記の如く転写紙にして熱転写製品にした場合には、いずれもマイナスイオンはゼロであった。血流の変化はＰロックで６％であり、該エネルギー放射鉱物で４％の向上が測定されたが、本発明の配合による効果には到底及ばなかった。
【００１９】
【実施例２】
実施例１と同様に作成したサポーターの生体への血流変化の効果を確認するため、未加工サポーターを対照とし、血流速度並びに血流量の変化を測定した。
試験環境　室温　２３．６℃　　湿度　５３％
測　　定
健常な青年男子（４８歳）を被験者とし、１０分間安静を保った後、未加工サポーターを装着した状態で２０分間の血流速度，血流量をレーザードップラー血流計にて経時的に測定した。ついで、２０分間の休息の後、実施例１のサポーターを装着し、同様に２０分間の血流速度、血流量を経時的に測定した。
結　　果
レーザードップラー血流計にて測定したデータはコンピューター処理により血流速度、血流量のそれぞれの数値として示される。
それぞれの血流速度、血流量の測定値を
【表２】に示す。
未加工サポーターに対する本実施例サポーターの血流速度、血流量の変化率は、血流速度は１．２２倍で２２％増、血流量は１．０８倍で８％増となり、本実施例品は、未加工サポーターに比較して血流改善の効果が認められる。
遠赤外線放射鉱物のみでは、血流にこのような顕著な向上は得られなかった。
【００２０】
【表２】
2004121685.tif 000004
【００２１】
【実施例３】
実施例１で作成した転写紙を用いて、綿シーツ地の全面に熱転写した。てβ線量をサーベメーターで７００カウント／分のエネルギー放射を測定した。マイナスイオン量は４６８カウント／分であった。該シーツに横臥して、レーザードップラー血流計で血流を測定した結果、血流量が１０％向上した。かような血流の向上は寝たきりで長時間圧迫された部分の血流低下による褥じょく症の予防するシーツとして期待される。
本シーツと未加工品に１０分間仰臥後の背中をサーモグラフによる温度測定したデータを図３に示す。直後はほぼ同じ温度分布であったが、５分経過後でも本実施例のシーツの使用者は、背中全体にわたり、特に未加工品に較べて肩の温度が保たれており、未加工品の被験者とは大きな差があった。
【００２２】
【実施例４】
ＰＥＴ不織布よりなるエアーフィルター素材を、遠赤外線放射鉱物としてはＰロック粉末（日本板硝子株式会社製品）１部に、石英斑岩の粉末でカリウム４０を含有し放射能濃度が２Ｂｑ／ｇのもの０．５部を配合して、アクリル系バインダー１０部、水８０部よりなる処理液により固着して、β線量で４００カウント／分のエネルギー放射量を有し、マイナスイオン量が４００個／ｃｃであるエアーフィルターを作成した。
該エアーフィルターに所定量の送風を行って人を配置して１０分間経過後に、生体信号処理装置による脳波を測定した。その結果顕著にα波の発生が認められストレス解消に好ましいことが立証された。レーザードップラー血流計による血流測定をした結果血流量は１１％の向上であった。Ｐロック粉末のみを同様に加工した場合血流変化は４％であり、該エネルギー放射鉱物のみを同様に加工した場合血流変化は２％であった。生体信号処理装置による脳波には顕著な変化はなかった。
【００２３】
【実施例５】
遠赤外線放射鉱物としては、セラジット　ＡＬ−Ｓ−３０（オーケートレーディング株式会社製品）１部に、石英斑岩の粉末でカリウム４０を含有し放射能濃度が２Ｂｑ／ｇのもの０．８部を配合して、貼付剤ジェルに１５％添加した。β線量で７００カウント／分のエネルギー放射量を有し、マイナスイオン量が６００個／ｃｃの貼付剤を作成した。作成した貼付剤を肩の凝った部分に貼った結果約２０分で肩こりが解消した。
遠赤外線放射鉱物のみを用いたものでは、１日肩に貼付して肩こりの解消はできなかった。また該エネルギー放射鉱物のみを用いたものでは、肩こりの解消に１時間以上を要した。
【００２４】
【本発明の効果】
本発明によれば、遠赤外線を放射する鉱物と、カリウム４０を併用することにより、温熱効果とマイナスイオン効果による相乗効果があり、健康の維持・増進に寄与するものである。
それぞれの効果の例は次に列記するとおりであって、さらに、これらが相互に働いて、単独の効果以上の相乗性を発揮することとなる。
さらに、銀置換ゼオライトを併用すると、消臭・殺菌効果も得られる。
【００２５】
温熱の効果
１．体がよく温まる。
２．血行の促進効果がある。
３．肩こりや筋肉痛が和らぐ。
４．筋肉疲労の回復を促進する。
５．冷え症や神経痛の症状を和らげる。
６．快眠効果（体が温まり、ぐっすり眠れる）。
マイナスイオンの効果
１．細胞を活性化して生理作用が快調となる。
２．人体に活力を与え自律神経に抜群の効果
３．ストレスを解消して集中力を高める。
４．ホルモンの分泌促進、免疫の強化。
【図面の簡単な説明】
【図１】は、本発明の実施例である腕用サポータ。
【図２】は、血球凝集解消の観察図。
【図３】は、本発明の実施例であるシーツの使用後の保温状況図。
【符号の説明】
Ａ；転写シート
【図１】
2004121685.tif 000005
【図２】
2004121685.tif 000006
【図３】
2004121685.tif 000007